(57)【要約】【課題】建屋の幅方向と高さ方向に対するスペース利用効率を共に高めて効率よく建屋に設置することができるエレベータ装置を提供する。【解決手段】一つの昇降路３０内に第１および第２のかご３１ａ，３１ｂを上下に位置をずらして設けるとともに、その各かごに対応する第１および第２の釣合い重り３２ａ，３２ｂを上下に位置をずらして設け、その互いに対応するかご３１ａ，３１ｂおよび釣合い重り３２ａ，３２ｂをそれぞれメインロープ４５ａ，４５ｂを介して昇降路３０内に吊り下げ、その各メインロープ４５ａ，４５ｂをそれに対応する巻上機４１ａ，４１ｂにそれぞれ巻き掛け、その各巻上機４１ａ，４１ｂによる駆動でかご３１ａ，３１ｂおよび釣合い重り３２ａ，３２ｂを昇降路３０内で昇降移動させるエレベータ装置において、各巻上機４１ａ，４１ｂを昇降路３０内の上部に設置して建屋のスペース利用効率を高める。【選択図】    図１
2006036487.tif 000002
【特許請求の範囲】
【請求項１】
一つの昇降路に上下にわたり設けられる複数のかごと、
前記複数のかごのそれぞれに対応する複数の釣合い重りと、
前記複数のかごおよび前記複数の釣合い重りのそれぞれ一つずつを対応させて接続し前記昇降路内に吊り下げるロープと、
前記ロープが巻き掛けられて前記かごおよび前記釣合い重りを昇降移動させる巻上機と、
を備えたエレベータ装置において、
前記各巻上機を前記昇降路内の最上部に設置してなることを特徴とするエレベータ装置。
【請求項２】
一つの昇降路に上下にわたり設けられる複数のかごと、
前記複数のかごのそれぞれに対応する複数の釣合い重りと、
前記複数のかごおよび前記複数の釣合い重りのそれぞれ一つずつを対応させて接続し前記昇降路内に吊り下げるロープと、
前記ロープが巻き掛けられて前記かごおよび前記釣合い重りを昇降移動させる巻上機と、
を備えたエレベータ装置において、
前記複数のかごのうちの最も下に配置されたかごに対応する巻上機を前記昇降路内の最下部に設置し、他のかごに対応する巻上機を前記昇降路内の最上部に設置してなることを特徴とするエレベータ装置。
【請求項３】
一つの昇降路に上下にわたり設けられる複数のかごと、
前記複数のかごのそれぞれに対応する複数の釣合い重りと、
前記複数のかごおよび前記複数の釣合い重りのそれぞれ一つずつを対応させて接続し前記昇降路内に吊り下げるロープと、
前記ロープが巻き掛けられて前記かごおよび前記釣合い重りを昇降移動させる巻上機と、
を備えたエレベータ装置において、
前記複数のかごのうちの最上部に配置されたかごを前記複数の釣合い重りのうちの最も上に配置された釣合い重りと対応させ、これらかごおよび釣合い重りを駆動する巻上機を昇降路の最上部に設置し、その釣合い重りの昇降移動距離をその対応するかごの昇降移動距離の１／２の関係としながらその釣合い重りを前記昇降路の中間部からその上方で昇降移動させるとともに、他のかごおよび釣合い重りに対応する巻上機を昇降路内の中間部に設けて、そのかごおよび釣合い重りを前記昇降路の中間部からその下方で昇降移動させてなることを特徴とするエレベータ装置。
【請求項４】
一つの昇降路に上下にわたり設けられる複数のかごと、
前記複数のかごのそれぞれに対応する複数の釣合い重りと、
前記複数のかごおよび前記複数の釣合い重りのそれぞれ一つずつを対応させて接続し前記昇降路内に吊り下げるロープと、
前記ロープが巻き掛けられて前記かごおよび前記釣合い重りを昇降移動させる巻上機と、
を備えたエレベータ装置において、
前記複数のかごのうちの最も上に配置されたかごを前記複数の釣合い重りのうちの最も上に配置された釣合い重りと対応させ、これらかごおよび釣合い重りを駆動する巻上機を昇降路の最上部に設置し、その釣合い重りの昇降移動距離をその対応するかごの昇降移動距離の１／２の関係としながらその釣合い重りを前記昇降路の中間部からその上方で昇降移動させるとともに、他のかごおよび釣合い重りに対応する巻上機を昇降路内の最下部に設けて、そのかごおよび釣合い重りを前記昇降路の中間部からその下方で昇降移動させてなることを特徴とするエレベータ装置。
【請求項５】
前記巻上機は、前記昇降路の起立壁面と前記かごとの間の領域に対応する部分に設置されてなることを特徴とする請求項１ないし４のいずれかに記載のエレベータ装置。
【請求項６】
前記複数のかごのうちの最も上に配置されたかごが建屋の最下階の階床に着床するときに、他のかごは前記最下階の昇降路の下部に退避してなることを特徴とする請求項１ないし５のいずれかに記載のエレベータ装置。
【請求項７】
前記複数のかごのうちの最も下に配置されたかごが建屋の最上階の階床に着床するときに、他のかごは前記最上階の昇降路の上部に退避してなることを特徴とする請求項１、２または５に記載のエレベータ装置。
【請求項８】
前記複数のかごのうちの最も上に配置されたかごは、上部にガイドシーブを有し、このガイドシーブにそのかごに対応するロープが巻き掛けられて吊り下げられ、該かごの下側に配置されたかごは、下部にガイドシーブを有し、このガイドシーブにそのかごに対応するロープが巻き掛けられて吊り下げられていることを特徴とする請求項１ないし５のいずれかに記載のエレベータ装置。
【請求項９】
前記複数のかごのうちの最も上に配置されたかごは、そのかごの下側のかごを吊り下げるロープを側方に通すとともに、該ロープの振れを規制する振れ止め具を設けてなることを特徴とする請求項１ないし５のいずれかに記載のエレベータ装置。
【請求項１０】
前記複数の釣合い重りのうちの最も上に配置された釣合い重りは、その釣合い重りの下側の釣合い重りを吊り下げるロープを側方に通すとともに、該ロープの振れを規制する振れ止め具を設けてなることを特徴とする請求項１、２または５に記載のエレベータ装置。
【発明の詳細な説明】
【技術分野】
【０００１】
本発明は、建屋内の人や物品を各階床に搬送するエレベータ装置に関する。
【背景技術】
【０００２】
通常のエレベータ装置においては、建屋内の一つのエレベータ昇降路に対して一つのかごが吊り下げられ、このかごが昇降路内で昇降移動して各階の人や物品を目的階に搬送するようになっている。
【０００３】
一方、建屋が高層化するにつれて建屋での搬送量が多くなり、これに伴いエレベータの設置台数も増やす必要が生じる。しかし、建屋の面積に対するエレベータの設置面積の比が増加すると、建屋のスペース利用効率が低下してしまう。
【０００４】
これを改善する方法として、二つのかごを上下に重ねて一体化した構造のダブルデッキ式のエレベータ装置が提案され、実用化されつつある。しかし、このダブルデッキ式のエレベータ装置では、二つのかごのうちの一方だけが建屋の階床に着床する必要があるときでも、他方のかごも同時に階床に着床しなければならず、二つのかごを備える割には搬送効率があまり向上しないという問題がある。また、利用者が少ない時間帯では、少ない人数を搬送する場合にも二台のかごが運転されることになり、その運転に要する消費電力に無駄が生じる。
【０００５】
そこで、特許第３２５２５７５号公報（特許文献１）や特開昭５９−１３３１８８号公報（特許文献２）に見られるように、一つの昇降路内に個々に昇降が可能な複数のかごを設け、その個々のかごを独立して運転することが可能なエレベータ装置が提案されている。
【０００６】
特許第３２５２５７５号公報のエレベータ装置の構成を図７に示す。このエレベータ装置においては高層階用のかご１ａ、中層階用のかご１ｂ、低層階用のかご１ｃが昇降路７内に上下に位置をずらして配置され、またその各かご１ａ，１ｂ，１ｃに対応する巻上機３ａ，３ｂ，３ｃが設けられている。
【０００７】
各巻上機３ａ，３ｂ，３ｃはそれぞれ駆動シーブ４ａ，４ｂ，４ｃを有し、これら駆動シーブ４ａ，４ｂ，４ｃにそれぞれメインロープ２ａ，２ｂ，２ｃが巻き掛けられ、これらメインロープ２ａ，２ｂ，２ｃの一端側の端部が各かご１ａ，１ｂ，１ｃに連結されている。
【０００８】
メインロープ２ａ，２ｂ，２ｃの他端側の端部はそれぞれそらせシーブ５ａ，５ｂ，５ｃを介してかご１ａ，１ｂ，１ｃの後部側に導出され、その端部にそれぞれ釣合い重り６ａ，６ｂ，６ｃが連結されている。これら釣合い重り６ａ，６ｂ，６ｃはそれぞれそらせシーブ５ａ，５ｂ，５ｃを介して互に干渉しないように前後に位置をずらして配置されている。
【０００９】
特開昭５９−１３３１８８号公報のエレベータ装置の構成を図８および図９に示す。このエレベータ装置においては、昇降路１０内に第１および第２のかご１１ａ，１１ｂが上下に位置しずらして配置されていると共に、その各かご１１ａ，１１ｂに対応する第１および第２の釣合い重り１２ａ，１２ｂが配置されている。また昇降路１０の上方部に機械室１３が構成され、この機械室１３内に第１および第２のかご１１ａ，１１ｂに対応する巻上機１４ａ，１４ｂが設けられている。
【００１０】
そして各巻上機１４ａ，１４ｂにそれぞれメインロープ１５ａ，１５ｂが巻き掛けられ、これらメインロープ１５ａ，１５ｂを介して各かご１１ａ，１１ｂおよび各釣合い重り１２ａ，１２ｂが昇降路１０内に吊り下げられている。そして各巻上機１４ａ，１４ｂを個々に駆動することにより、各かご１１ａ，１１ｂを独立して昇降移動させることができるようになっている。
【特許文献１】特許第３２５２５７５号公報
【特許文献２】特開昭５９−１３３１８８号公報
【発明の開示】
【発明が解決しようとする課題】
【００１１】
図７に示す従来のエレベータ装置においては、各釣合い重り６ａ，６ｂ，６ｃが互いに干渉しないようにそらせシーブ５ａ，５ｂ，５ｃを介して前後に位置をずらして配置されている。このため昇降路７をその分広くする必要があり、建屋のスペース利用効率を高める上では不充分な点がある。
【００１２】
そこで、釣合い重り６ａ，６ｂ，６ｃを上下に位置をずらして配置させ、一組のガイドレールに沿って移動させるようにすることが考えられるが、この場合にはかご１ａ，１ｂ，１ｃの移動範囲が著しく制限されてしまう。例えば、かご１ｂ，１ｃが下部に停止中にかご１ａを上昇させようとしても、途中で釣合い重り６ａが釣合い重り６ｂと干渉してしまい、上部階をサービスするはずのかご１ａが最上階まで移動することができないことになってしまう。
【００１３】
一方、図８および図９に示されるエレベータ装置においては、かご１１ａ，１１ｂおよび釣合い重り１２ａ，１２ｂが共に上下に位置をずらすように配置されており、このため昇降路１０の前後の幅を小さく抑えて建屋の幅方向に対するスペース利用効率を高めることができる。
【００１４】
ところが、このエレベータ装置では、昇降路１０の上方部に機械室１３が設けられ、この機械室１３にかご１１ａ，１１ｂを駆動するための巻上機１４ａ，１４ｂが設置されている。このためその機械室１３の高さ分により建屋の高さ方向に対するスペース利用効率が低下するという課題がある。
【００１５】
本発明は、このような課題を解決するためになされたもので、建屋の幅方向と高さ方向に対するスペース利用効率を共に高めて複数のかごを効率よく昇降路内に設置することができるエレベータ装置を提供することを目的とする。
【課題を解決するための手段】
【００１６】
請求項１の発明は、一つの昇降路に上下にわたり設けられる複数のかごと、前記複数のかごのそれぞれに対応する複数の釣合い重りと、前記複数のかごおよび前記複数の釣合い重りのそれぞれ一つずつを対応させて接続し前記昇降路内に吊り下げるロープと、前記ロープが巻き掛けられて前記かごおよび前記釣合い重りを昇降移動させる巻上機とを備えたエレベータ装置において、前記各巻上機を前記昇降路内の最上部に設置してなることを特徴としている。
【００１７】
請求項２の発明は、一つの昇降路に上下にわたり設けられる複数のかごと、前記複数のかごのそれぞれに対応する複数の釣合い重りと、前記複数のかごおよび前記複数の釣合い重りのそれぞれ一つずつを対応させて接続し前記昇降路内に吊り下げるロープと、前記ロープが巻き掛けられて前記かごおよび前記釣合い重りを昇降移動させる巻上機とを備えたエレベータ装置において、前記複数のかごのうちの最も下に配置されたかごに対応する巻上機を前記昇降路内の最下部に設置し、他のかごに対応する巻上機を前記昇降路内の最上部に設置してなることを特徴としている。
【００１８】
請求項３の発明は、一つの昇降路に上下にわたり設けられる複数のかごと、前記複数のかごのそれぞれに対応する複数の釣合い重りと、前記複数のかごおよび前記複数の釣合い重りのそれぞれ一つずつを対応させて接続し前記昇降路内に吊り下げるロープと、前記ロープが巻き掛けられて前記かごおよび前記釣合い重りを昇降移動させる巻上機とを備えたエレベータ装置において、前記複数のかごのうちの最上部に配置されたかごを前記複数の釣合い重りのうちの最も上に配置された釣合い重りと対応させ、これらかごおよび釣合い重りを駆動する巻上機を昇降路の最上部に設置し、その釣合い重りの昇降移動距離をその対応するかごの昇降移動距離の１／２の関係としながらその釣合い重りを前記昇降路の中間部からその上方で昇降移動させるとともに、他のかごおよび釣合い重りに対応する巻上機を昇降路内の中間部に設けて、そのかごおよび釣合い重りを前記昇降路の中間部からその下方で昇降移動させてなることを特徴としている。
【００１９】
請求項４の発明は、一つの昇降路に上下にわたり設けられる複数のかごと、前記複数のかごのそれぞれに対応する複数の釣合い重りと、前記複数のかごおよび前記複数の釣合い重りのそれぞれ一つずつを対応させて接続し前記昇降路内に吊り下げるロープと、前記ロープが巻き掛けられて前記かごおよび前記釣合い重りを昇降移動させる巻上機とを備えたエレベータ装置において、前記複数のかごのうちの最も上に配置されたかごを前記複数の釣合い重りのうちの最も上に配置された釣合い重りと対応させ、これらかごおよび釣合い重りを駆動する巻上機を昇降路の最上部に設置し、その釣合い重りの昇降移動距離をその対応するかごの昇降移動距離の１／２の関係としながらその釣合い重りを前記昇降路の中間部からその上方で昇降移動させるとともに、他のかごおよび釣合い重りに対応する巻上機を昇降路内の最下部に設けて、そのかごおよび釣合い重りを前記昇降路の中間部からその下方で昇降移動させてなることを特徴としている。
【００２０】
請求項５の発明は、前記巻上機が、前記昇降路の起立壁面と前記かごとの間の領域に対応する部分に設置されてなることを特徴としている。
【００２１】
請求項６の発明は、前記複数のかごのうちの最も上に配置されたかごが建屋の最下階の階床に着床するときに、他のかごは前記最下階の昇降路の下部に退避してなることを特徴としている。
【００２２】
請求項７の発明は、前記複数のかごのうちの最も下に配置されたかごが建屋の最上階の階床に着床するときに、他のかごは前記最上階の昇降路の上部に退避してなることを特徴としている。
【００２３】
請求項８の発明は、前記複数のかごのうちの最も上に配置されたかごが、上部にガイドシーブを有し、このガイドシーブにそのかごに対応するロープが巻き掛けられて吊り下げられ、該かごの下側に配置されたかごが、下部にガイドシーブを有し、このガイドシーブにそのかごに対応するロープが巻き掛けられて吊り下げられていることを特徴としている。
【００２４】
請求項９の発明は、前記複数のかごのうちの最も上に配置されたかごが、そのかごの下側のかごを吊り下げるロープを側方に通すとともに、該ロープの振れを規制する振れ止め具を設けてなることを特徴としている。
【００２５】
請求項１０の発明は、前記複数の釣合い重りのうちの最も上に配置された釣合い重りが、その釣合い重りの下側の釣合い重りを吊り下げるロープを側方に通すとともに、該ロープの振れを規制する振れ止め具を設けてなることを特徴としている。
【発明の効果】
【００２６】
本発明のエレベータ装置によれば、建屋の幅方向と高さ方向に対するスペース利用効率を共に高めて複数のかごを効率よく昇降路内に設置することができる。
【発明を実施するための最良の形態】
【００２７】
以下、本発明の実施の形態について図１ないし図６を参照して説明する。
【００２８】
図１および図２には本発明の第１の実施形態に係るエレベータ装置の構成を示している。建屋の昇降路３０の内部に第１および第２の一対のかご３１ａ，３１ｂが上下に位置をずらして配置されているとともに、さらに第１および第２の釣合い重り３２ａ，３２ｂが上下に位置をずらして配置されている。第１のかご３１ａは第２のかご３１ｂの上方側に配置され、第１の釣合い重り３２ａは第２の釣合い重り３２ｂの下方側に配置されている。
【００２９】
第１のかご３１ａは上部に一対の回転自在なガイドシーブ３５を、第２のかご３１ｂは下部に一対の回転自在なガイドシーブ３６をそれぞれ有し、また第１の釣合い重り３２ａは上部に一対の回転自在なガイドシーブ３７を、第２の釣合い重り３２ｂは上部に一対の回転自在なガイドシーブ３８をそれぞれ有している。
【００３０】
昇降路３０内の上部には第１および第２の一対の巻上機４１ａ，４１ｂが設けられ、これら巻上機４１ａ，４１ｂに第１および第２のメインロープ４５ａ，４５ｂがそれぞれ巻き掛けられている。各巻上機４１ａ，４１ｂは、図２に示すように、昇降路３０内の上部における昇降路３０の起立壁面とかご３１ａ，３１ｂとの間の領域に対応する部分に設置されている。
【００３１】
第１のメインロープ４５ａは、巻上機４１ａに巻き掛けられた部分を境とする一方側が下方に導出されて第１のかご３１ａのガイドシーブ３５を経由するようにそのガイドシーブ３５に巻き掛けられ、さらに上方に引き出されて昇降路３０内の上部の固定部４７に連結固定され、また他方側が下方に導出されて第１の釣合い重り３２ａのガイドシーブ３７を経由するようにそのガイドシーブ３７に巻き掛けられ、さらに上方に引き出されて昇降路３０内の上部の固定部４８に連結固定されている。この第１のメインロープ４５ａにより第１のかご３１ａおよび第１の釣合い重り３２ａがそれぞれ上下に移動可能に昇降路３０内に吊り下げられている。
【００３２】
一方、第２のメインロープ４５ｂは、巻上機４１ｂに巻き掛けられた部分を境とする一方側が下方に導出されて第２のかご３１ｂのガイドシーブ３６を経由するようにそのガイドシーブ３６に巻き掛けられ、さらに上方に引き出されて昇降路３０内の上部の固定部４７に連結固定され、また他方側が下方に導出されて第２の釣合い重り３２ｂのガイドシーブ３８を経由するようにそのガイドシーブ３８に巻き掛けられ、さらに上方に引き出されて昇降路３０内の上部の固定部４８に連結固定されている。この第２のメインロープ４５ｂにより第２のかご３１ｂおよび第２の釣合い重り３２ｂがそれぞれ上下に移動可能に昇降路３０内に吊り下げられている。
【００３３】
第１のメインロープ４５ａは、第２の釣合い重り３２ｂの側方を通るように引き回されているが、その第２の釣合い重り３２ｂの両側部には環状の振れ止め具５０が取り付けられて入る。これら振れ止め具５０に第１のメインロープ４５ａが通され、その振れが抑えられている。
【００３４】
第２のメインロープ４５ｂは、第１のかご３１ａの側方を通るように引き回されているが、その第１のかご３１ａの両側部には環状の振れ止め具５１が取り付けられている。これら振れ止め具５１に第２のメインロープ４５ｂが通され、その振れが抑えられている。
【００３５】
昇降路３０内には、図２に示すようにかご用ガイドレール５５および重り用ガイドレール５６が上下に延びるように設けられている。かご用ガイドレール５５は第１および第２のかご３１ａ，３１ｂの側方部に配置され、第１および第２のかご３１ａ，３１ｂが共にこれらかご用ガイドレール５５に沿って上下に移動するようになっている。
【００３６】
重り用ガイドレール５６は第１および第２の釣合い重り３２ａ，３２ｂの側方部に配置され、第１および第２の釣合い重り３２ａ，３２ｂが共にこれら重り用ガイドレール５６に沿って上下に移動するようになっている。
【００３７】
図１に示すＦＬは建屋の最下階の階床、ＦＨは最上階の階床のレベルであり、昇降路３０内の下方部には第１のかご３１ａが最下階の階床ＦＬに着床するときにその下方側の第２のかご３１ｂが退避するための退避スペース５８が確保され、また昇降路３０内の上方部には第２のかご３１ｂが最上階の階床ＦＨに着床するときにその上方側の第１のかご３１ａが退避するための退避スペース５９が確保されている。
【００３８】
このエレベータ装置においては、図示しない運行制御装置によって各巻上機４１ａ，４１ｂを駆動することにより、各かご３１ａ，３１ｂを独立して移動させることができる。この際、かご３１ａ，３１ｂが昇降路３０内で衝突しないように各巻上機４１ａ，４１ｂを介して各かご３１ａ，３１ｂの移動範囲を制御する。
【００３９】
第１のかご３１ａが最下階の階床ＦＬに着床するときには、第２のかご３１ｂを昇降路３０の最下部の退避スペース５８に退避させ、また第２のかご３１ｂが最上階に階床ＦＨに着床するときには、第１のかご３１ａを昇降路３０の最上部の退避スペース５９に退避させる。これにより、第１および第２のかご３１ａ，３１ｂで共に最下階の階床ＦＬから最上階の階床ＦＨの間の各階床をサービスすることができる。
【００４０】
乗客の少ない時間帯においては、いずれか一方、例えば第１のかご３１ａを退避スペース５９に退避させ、他方の第２のかご３１ｂのみを運転して各階床をサービスすることができる。これによりダブルデッキ式エレベータの場合のように常に二つのかごを同時に運転しなければならない場合に比べ消費電力をほぼ半減でき、省エネルギーの点で有利となる。
【００４１】
建屋が強風や地震等で揺れた場合、第１のかご３１ａの脇を通る第２のメインロープ４５ｂがその第１のかご３１ａに向かって振れる恐れがある。しかし、その第２のメインロープ４５ｂは第１のかご３１ａに設けられた振れ止め具５１により横の動きが規制されており、このため第１のかご３１ａに接触したり衝突するような恐れがない。
【００４２】
また同様に、第２の釣合い重り３２ｂの脇を通る第１のメインロープ４５ａがその第２の釣合い重り３２ｂに向かって振れたとしても、その第１のメインロープ４５ａは第２の釣合い重り３２ｂに設けられた振れ止め具５０により横の動きが規制されており、このため第２の釣合い重り３２ｂに接触したり衝突するような恐れがない。
【００４３】
第１のかご３１ａは、その上部にガイドシーブ３５が設けられ、これらガイドシーブ３５に巻き掛けられた第１のメインロープ４５ａを介して昇降路３０内に吊り下げられて入る。第２のかご３１ｂは、その下部にガイドシーブ３６が設けられ、これらガイドシーブ３６に巻き掛けられた第２のメインロープ４５ｂを介して昇降路３０内に吊り下げられている。このため第１のかご３１ａと第２のかご３１ｂとの間隔を無理なく小さくすることができ、建屋の隣接する階（Ｎ階とＮ+１階）に上側の第１のかご３１ａと下側の第２のかご３１ｂを着床させてその双方の階を同時にサービスすることができる。
【００４４】
そして、昇降路３０内には、かご３１ａ，３１ｂおよび釣合い重り３２ａ，３２ｂがそれぞれ上下に配置され、かつかご３１ａ，３１ｂの駆動用の巻上機４１ａ，４１ｂが昇降路３０内の上部の昇降路３０の起立壁面とかご３１ａ，３１ｂとの間の領域に対応する部分に設けられている。このため昇降路３０の断面積を小さくすることができると共に、昇降路３０の上方部に、巻上機設置用の機械室を設ける必要がない。したがって、建屋の幅方向と高さ方向に対するスペース利用効率を共に高めて効率よくエレベータ装置を建屋に設置することができる。
【００４５】
この第１の実施形態では、第１および第２の巻上機４１ａ，４１ｂを昇降路３０内の上部で、かつ昇降路３０の起立壁面とかご３１ａ，３１ｂとの間の領域に対応する部分に設けるようにしたが、巻上機４１ａ，４１ｂは昇降路３０内の上部であれば、昇降路３０の起立壁面とかご３１ａ，３１ｂとの間の領域に対応する部分から外れる部分に設けてもよい。
【００４６】
また、第１の実施形態では、釣合い重り３２ａ，３２ｂをかご３１ａ，３１ｂの背面側の領域に吊り下げるようにしたが、かご３１ａ，３１ｂの背面側にそれだけのスペースがない場合も考えられる。そのような場合には、図３に変形例として示すように、釣合い重り３２ａ，３２ｂをかご３１ａ，３１ｂの側面側の領域に吊り下げるようにしてもよい。なお、図３には第１の実施形態と対応する部分に同一の符号を付してある。
【００４７】
図４には本発明の第２の実施形態に係るエレベータ装置の構成を示してある。なお、第１の実施形態と対応する部分には同一の符号を付して重複する説明は省略する。この第２の実施形態では、昇降路３０内の上部に第１の巻上機４１ａが設けられ、昇降路３０の下部のピット部６３に第２の巻上機４１ｂが設けられている。また、第１の巻上機４１ａの近傍にそらせシーブ６４および一対の折返しシーブ６５，６６が設けられている。
【００４８】
第１の巻上機４１ａには第１のメインロープ４５ａが巻き掛けられている。この第１のメインロープ４５ａの巻上機４１ａに対する巻き掛け部分を境とする一方側は、下方に導出されて第１のかご３１ａのガイドシーブ３５を経由するようにそのガイドシーブ３５に巻き掛けられ、さらに上方に引き出されて昇降路３０内の上部の固定部４７に連結固定されている。
【００４９】
また第１のメインロープ４５ａの他方側は、そらせシーブ６４を経て下方に導出されて第１の釣合い重り３２ａのガイドシーブ３７を経由するようにそのガイドシーブ３７に巻き掛けられ、さらに上方に引き出されて昇降路３０内の上部の固定部４８に連結固定されている。この第１のメインロープ４５ａにより第１のかご３１ａおよび第１の釣合い重り３２ａがそれぞれ上下に移動可能に昇降路３０内に吊り下げられている。
【００５０】
ピット部６３に配置された第２の巻上機４１ｂには第２のメインロープ４５ｂが巻き掛けられている。この第２のメインロープ４５ｂの巻上機４１ｂに対する巻き掛け部分を境とする一方側は、上方に導出されるとともに折返しシーブ６５に巻き掛けられて下方に折り返され、その折り返し側が下方に導出されて第２のかご３１ｂのガイドシーブ３６を経由するようにそのガイドシーブ３６に巻き掛けられ、さらに上方に引き出されて昇降路３０内の上部の固定部４７に連結固定されている。
【００５１】
また第２のメインロープ４５ｂの他方側は、上方に導出されるとともに折返しシーブ６６に巻き掛けられて下方に折り返され、その折り返し側が下方に導出されて第２の釣合い重り３２ｂのガイドシーブ３８を経由するようにそのガイドシーブ３８に巻き掛けられ、さらに上方に引き出されて昇降路３０内の上部の固定部４８に連結固定されている。この第２のメインロープ４５ｂにより第２のかご３１ｂおよび第２の釣合い重り３２ｂがそれぞれ上下に移動可能に昇降路３０内に吊り下げられている。
【００５２】
このようなエレベータ装置においても、第１の実施形態の場合と同様に、各巻上機４１ａ，４１ｂを駆動することにより、各かご３１ａ，３１ｂを独立して移動させて、建屋の各階に対してサービスすることができる。
【００５３】
また、第１のかご３１ａが最下階の階床ＦＬに着床するときに、第２のかご３１ｂを昇降路３０の最下部の退避スペース５８に退避させ、第２のかご３１ｂが最上階に階床ＦＨに着床するときに、第１のかご３１ａを昇降路３０の最上部の退避スペース５９に退避させることにより、第１および第２のかご３１ａ，３１ｂで共に最下階の階床ＦＬから最上階の階床ＦＨの間の各階床をサービスすることができる。
【００５４】
乗客の少ない時間帯においては、いずれか一方、例えば第１のかご３１ａを退避スペース５９に退避させ、他方の第２のかご３１ｂのみを運転して各階床をサービスすることができる。これによりダブルデッキ式エレベータの場合のように常に二つのかごを同時に運転しなければならない場合に比べ消費電力をほぼ半減でき、省エネルギーの点で有利となる。
【００５５】
建屋が強風や地震等で揺れた場合、第２のメインロープ４５ｂは第１のかご３１ａに設けられた振れ止め具５１によりその横の動きが規制されて第１のかご３１ａへの接触や衝突が防止され、第１のメインロープ４５ａは第２の釣合い重り３２ｂに設けられた振れ止め具５０によりその横の動きが規制されて第２の釣合い重り３２ｂへの接触や衝突が防止される。
【００５６】
上下に配置された一方の第１のかご３１ａは、その上部にガイドシーブ３５が設けられ、これらガイドシーブ３５に巻き掛けられた第１のメインロープ４５ａを介して昇降路３０内に吊り下げられている。
【００５７】
他方の第２のかご３１ｂは、その下部にガイドシーブ３６が設けられ、これらガイドシーブ３６に巻き掛けられた第２のメインロープ４５ｂを介して昇降路３０内に吊り下げられている。このため第１のかご３１ａと第２のかご３１ｂとの間隔を無理なく小さくすることができ、建屋の隣接する階（Ｎ階とＮ+１階）に上側の第１のかご３１ａと下側の第２のかご３１ｂを着床させてその双方の階を同時にサービスすることができる。
【００５８】
そして、昇降路３０内には、かご３１ａ，３１ｂおよび釣合い重り３２ａ，３２ｂがそれぞれ上下に配置され、かつかご３１ａ，３１ｂの駆動用の巻上機４１ａ，４１ｂが昇降路３０内の上部と下部とに設けられている。このため昇降路３０の断面積を小さくすることができると共に、昇降路３０の上方部に、巻上機設置用の機械室を設ける必要がない。したがって、建屋の幅方向と高さ方向に対するスペース利用効率を共に高めて効率よくエレベータ装置を建屋に設置することができる。
【００５９】
図５には本発明の第３の実施形態に係るエレベータ装置の構成を示してある。この第３の実施形態では、第１の釣合い重り３２ａが第２の釣合い重り３２ｂの上方側に配置されている。そして昇降路３０内の上部に第１の巻上機４１ａが設けられ、昇降路３０の上下方向の中間部に第２の巻上機４１ｂが設けられている。また、第１の巻上機４１ａの近傍にそらせシーブ６４が設けられている。
【００６０】
第１の巻上機４１ａには第１のメインロープ４５ａが巻き掛けられている。この第１のメインロープ４５ａの巻上機４１ａに対する巻き掛け部分を境とする一方側は、下方に導出されて第１のかご３１ａに直接連結され、また他方側はそらせシーブ６４を経て下方に導出されて第１の釣合い重り３２ａのガイドシーブ３７を経由するようにそのガイドシーブ３７に巻き掛けられ、さらに上方に引き出されて昇降路３０内の上部の固定部４８に連結固定されている。この第１のメインロープ４５ａにより第１のかご３１ａおよび第１の釣合い重り３２ａがそれぞれ上下に移動可能に昇降路３０内に吊り下げられている。
【００６１】
巻上機４１ｂは、平面的には昇降路３０の起立壁面とかご３１ａ，３１ｂとの間の領域に対応する部分で、高さとしては昇降路３０の中間部に設けられている。そして第２の巻上機４１ｂには第２のメインロープ４５ｂが巻き掛けられている。
【００６２】
この第２のメインロープ４５ｂの巻上機４１ｂに対する巻き掛け部分を境とする一方側は、下方に導出されて第２のかご３１ｂのガイドシーブ３６を経由するようにそのガイドシーブ３６に巻き掛けられ、さらに上方に引き出されて昇降路３０内の中間部の固定部７０に連結固定されている。
【００６３】
また第２のメインロープ４５ｂの他方側は、下方に導出されて第２の釣合い重り３２ｂのガイドシーブ３８を経由するようにそのガイドシーブ３８に巻き掛けられ、さらに上方に引き出されて昇降路３０内の中間部の固定部７１に連結固定され、この第２のメインロープ４５ｂにより第２のかご３１ｂおよび第１の釣合い重り３２ｂがそれぞれ上下に移動可能に昇降路３０内に吊り下げられている。
【００６４】
昇降路３０内の下方部には第１のかご３１ａが建屋の最下階の階床ＦＬに着床するときにその下方側の第２のかご３１ｂが退避するための退避スペース５８が確保されている。
【００６５】
このエレベータ装置の場合には、第１の巻上機４１ａで駆動されて第１のかご３１ａおよび第１の釣合い重り３２ａが昇降移動するときには、釣合い重り３２ａの移動距離がかご３１ａの移動距離の１／２となる関係にあり、第２の巻上機４１ｂで駆動されて第２のかご３１ｂおよび第２の釣合い重り３２ｂが昇降移動するときには、釣合い重り３２ｂの移動距離とかご３１ｂの移動距離とが同じとなる関係にある。
【００６６】
すなわち、第１のかご３１ａが昇降路３０内で全階床の範囲を移動するときに、第１の釣合い重り３２ａは昇降路３０の中間から上側の範囲の部分において移動するため第２の釣合い重り３２ｂと干渉することがない。
【００６７】
したがって、第１のかご３１ａと第２のかご３１ｂとが互いに干渉しないように、第１および第２の巻上機４１ａ，４１ｂの駆動を制御することにより、その第１のかご３１ａと第２のかご３１ｂとを独立して移動させて建屋の各階をサービスすることができる。
【００６８】
第１のかご３１ａが最下階の階床ＦＬに着床するときには、第２のかご３１ｂを退避スペース５８に配置させる。これにより第１のかご３１ａの運転ですべての階床をサービスすることができる。
【００６９】
一方、第２のかご３１ｂは、昇降路３０内の中間から下方の範囲がサービスの対象範囲となる。建屋の途中階（中間階と最下階との間の階床）に例えば駅に通じる出入口が設けられ、そこから上に向う人と下に向う人とに分かれる大きな流れがある場合に、上に向う人は第１のかご３１ａでサービスし、下に向う人は第２のかご３１ｂでサービスすることによりエレベータの運転効率を上げることも可能になる。
【００７０】
また、乗客の少ない時間帯においては、第２のかご３１ｂを退避スペース５８に退避させ、第１のかご３１ａのみを運転して各階床をサービスすれば、ダブルデッキ式エレベータの場合のように常に二つのかごを同時に運転する場合に比べ消費電力をほぼ半減でき、省エネルギーの点で有利となる。
【００７１】
一方、昇降路３０内には、かご３１ａ，３１ｂおよび釣合い重り３２ａ，３２ｂがそれぞれ上下に配置され、かつかご３１ａ，３１ｂの駆動用の巻上機４１ａ，４１ｂが昇降路３０内の上部と中間部とに設けられている。このため昇降路３０の断面積を小さくすることができると共に、昇降路３０の上方部に、巻上機設置用の機械室を設ける必要がない。したがって、建屋の幅方向と高さ方向に対するスペース利用効率を共に高めて効率よくエレベータ装置を建屋に設置することができる。
【００７２】
図６には本発明の第４の実施形態に係るエレベータ装置の構成を示してある。この第４の実施形態では、第３の実施形態の場合と同様に、第１の釣合い重り３２ａが第２の釣合い重り３２ｂの上方側に配置されている。
【００７３】
そして昇降路３０内の上部に第１の巻上機４１ａが設けられ、昇降路３０の下部のピット部６３に第２の巻上機４１ｂが設けられている。また、第１の巻上機４１ａの近傍にそらせシーブ６４が設けられ、昇降路３０の上下方向の中間部に一対の折返しシーブ７８，７９が設けられている。
【００７４】
第１の巻上機４１ａには第１のメインロープ４５ａが巻き掛けられている。この第１のメインロープ４５ａの巻上機４１ａに対する巻き掛け部分を境とする一方側は、下方に導出されて第１のかご３１ａに直接連結されている。
【００７５】
また第１のメインロープ４５ａの他方側は、そらせシーブ６４を経て下方に導出されて第１の釣合い重り３２ａのガイドシーブ３７を経由するようにそのガイドシーブ３７に巻き掛けられ、さらに上方に引き出されて昇降路３０内の上部の固定部４８に連結固定されている。この第１のメインロープ４５ａにより第１のかご３１ａおよび第１の釣合い重り３２ａがそれぞれ上下に移動可能に昇降路３０内に吊り下げられている。
【００７６】
昇降路３０のピット部６３に設けられた第２の巻上機４１ｂには第２のメインロープ４５ｂが巻き掛けられている。この第２のメインロープ４５ｂの巻上機４１ｂに対する巻き掛け部分を境とする一方側は、上方に導出されるとともに折返しシーブ７８に巻き掛けられて下方に折り返され、その折り返し側が下方に導出されて第２のかご３１ｂのガイドシーブ３６を経由するようにそのガイドシーブ３６に巻き掛けられ、さらに上方に引き出されて昇降路３０内の中間部の固定部７０に連結固定されている。
【００７７】
また第２のメインロープ４５ｂの他方側は、上方に導出されるとともに折返しシーブ７９に巻き掛けられて下方に折り返され、その折り返し側が下方に導出されて第２の釣合い重り３２ｂのガイドシーブ３８を経由するようにそのガイドシーブ３８に巻き掛けられ、さらに上方に引き出されて昇降路３０内の中間部の固定部７１に連結固定されている。この第２のメインロープ４５ｂにより第２のかご３１ｂおよび第２の釣合い重り３２ｂがそれぞれ上下に移動可能に昇降路３０内に吊り下げられている。
【００７８】
また、昇降路３０内の下方部には第１のかご３１ａが建屋の最下階の階床ＦＬに着床するときにその下方側の第２のかご３１ｂが退避するための退避スペース５８が確保されている。
【００７９】
このようなエレベータ装置においても、第３の実施形態の場合と同様に、第１の巻上機４１ａで駆動されて第１のかご３１ａおよび第１の釣合い重り３２ａが昇降移動するときには、釣合い重り３２ａの移動距離がかご３１ａの移動距離の１／２となり、第２の巻上機４１ｂで駆動されて第２のかご３１ｂおよび第２の釣合い重り３２ｂが昇降移動するときには、釣合い重り３２ｂの移動距離とかご３１ｂの移動距離とが同じとなる関係にある。
【００８０】
したがって、第１のかご３１ａと第２のかご３１ｂとが互いに干渉しないように、第１および第２の巻上機４１ａ，４１ｂの駆動を制御することにより、その第１のかご３１ａと第２のかご３１ｂとを独立して移動させて建屋の各階をサービスすることができる。
【００８１】
第１のかご３１ａが最下階の階床ＦＬに着床するときには、第２のかご３１ｂを退避スペース５８に配置させる。これにより第１のかご３１ａの運転ですべての階床をサービスすることができる。第２のかご３１ｂは、昇降路３０内の中間から下方の範囲がサービスの対象範囲となる。建屋の途中階（中間階と最下階との間の階床）に例えば駅に通じる出入口が設けられ、そこから上に向う人と下に向う人とに分かれる大きな流れがある場合に、上に向う人は第１のかご３１ａでサービスし、下に向う人は第２のかご３１ｂでサービスすることによりエレベータの運転効率を上げることも可能となる。
【００８２】
また、乗客の少ない時間帯においては、第２のかご３１ｂを退避スペース５８に退避させ、第１のかご３１ａのみを運転して各階床をサービスすれば、ダブルデッキ式エレベータの場合のように常に二つのかごを同時に運転する場合に比べ消費電力をほぼ半減でき、省エネルギーの点で有利となる。
【００８３】
一方、昇降路３０内には、かご３１ａ，３１ｂおよび釣合い重り３２ａ，３２ｂがそれぞれ上下に配置され、かつかご３１ａ，３１ｂの駆動用の巻上機４１ａ，４１ｂが昇降路３０内の上部と下部とに設けられている。このため昇降路３０の断面積を小さくすることができると共に、昇降路３０の上方部に、巻上機設置用の機械室を設ける必要がない。したがって、建屋の幅方向と高さ方向に対するスペース利用効率を共に高めて効率よくエレベータ装置を建屋に設置することができる。
【００８４】
なお、上述した各実施形態では、昇降路内に二つのかごおよび二つの釣合い重りをそれぞれ上下に位置をずらすように配置させて昇降移動させるようにしたが、三つ以上のかごおよび釣合い重りをそれぞれ上下に位置をずらすように配置させて昇降移動させる構成とすることも可能である。
【図面の簡単な説明】
【００８５】
【図１】本発明の第１の実施形態に係るエレベータ装置の側面構成図。
【図２】図１のエレベータ装置の平面構成図。
【図３】エレベータ装置の変形例を示す側面構成図。
【図４】本発明の第２の実施形態に係るエレベータ装置の側面構成図。
【図５】本発明の第３の実施形態に係るエレベータ装置の側面構成図。
【図６】本発明の第４の実施形態に係るエレベータ装置の側面構成図。
【図７】従来のエレベータ装置の側面構成図。
【図８】従来の他のエレベータ装置の側面構成図。
【図９】図８のエレベータ装置の正面構成図。
【符号の説明】
【００８６】
３０…昇降路
３１ａ…第１のかご
３１ｂ…第２のかご
３２ａ…第１の釣合い重り
３２ｂ…第２の釣合い重り
３５…ガイドシーブ
３６…ガイドシーブ
３７…ガイドシーブ
３８…ガイドシーブ
４１ａ…第１の巻上機
４１ｂ…第２の巻上機
４５ａ…第１のメインロープ
４５ｂ…第２のメインロープ
５０…振り止め具
５１…振り止め具
５５…かご用ガイドレール
５６…重り用ガイドレール
５８…退避スペース
５９…退避スペース
６３…ピット部
【図１】
2006036487.tif 000003
【図２】
2006036487.tif 000004
【図３】
2006036487.tif 000005
【図４】
2006036487.tif 000006
【図５】
2006036487.tif 000007
【図６】
2006036487.tif 000008
【図７】
2006036487.tif 000009
【図８】
2006036487.tif 000010
【図９】
2006036487.tif 000011